(57)【要約】【課題】サーボ機構がオフでも機能することができ、かつ追加部品も最小限に抑えた対物レンズなどの光ピックアップに伝達される振動を抑制できる対物レンズ駆動装置、光ディスク再生装置および対物レンズ駆動方法を提供する。【解決手段】光ピックアップ６または光ピックアップ６と同等の振動特性を有する箇所に取り付けられた２軸加速度センサ７で光ピックアップ６に伝達される振動を検出し、フォーカスドライブＥＱ部８およびトラッキングドライブＥＱ部９で振動を減衰できるようなゲインで光ピックアップ６のアクチュエータを駆動する信号を生成する。フォーカスサーボやトラッキングサーボが動作している場合は、フォーカスサーボやトラッキングサーボで減衰できない振動周波数帯域の振動を減衰し、フォーカスサーボやトラッキングサーボが動作していない場合は、フォーカスサーボやトラッキングサーボが減衰する振動周波数帯域も減衰する。【選択図】図１
2008087703.tif 000002
【特許請求の範囲】
【請求項１】
光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、
前記対物レンズに伝達される振動を検出する振動検出手段と、
前記振動検出手段が検出した振動に基づいて、所定のゲインで前記駆動手段を駆動する信号を出力する振動信号出力手段と、
前記振動信号出力手段が出力する信号と前記サーボ制御手段が出力する信号とを加算する加算手段と、
を備えたことを特徴とする対物レンズ駆動装置。
【請求項２】
前記振動信号出力手段が出力する信号のうち、前記サーボ制御手段で抑制できる振動周波数帯域の信号を抑制する抑制手段を備えたことを特徴とする請求項１に記載の対物レンズ駆動装置。
【請求項３】
前記振動信号出力手段が、前記振動検出手段が検出した振動の周波数に応じて複数のゲインで前記駆動手段を駆動する信号を出力することを特徴とする請求項１または２に記載の対物レンズ駆動装置。
【請求項４】
前記振動信号出力手段が、前記サーボ制御手段で抑制できる振動周波数帯域より高い周波数の振動を前記振動検出手段が検出した際に信号を出力することを特徴とする請求項１乃至３のうちいずれか一項に記載の対物レンズ駆動装置。
【請求項５】
前記対物レンズに伝達される振動を減衰するダンパを備え、
前記振動信号出力手段が、前記ダンパで抑制できる振動周波数帯域未満の周波数の振動を前記振動検出手段が検出した際に信号を出力することを特徴とする請求項１乃至４のうちいずれか一項に記載の対物レンズ駆動装置。
【請求項６】
前記振動検出手段が、前記対物レンズに対して略鉛直方向に伝達される振動と、略径方向に伝達される振動と、を検出することを特徴とする請求項１乃至５のうちいずれか一項に記載の対物レンズ駆動装置。
【請求項７】
前記振動信号出力手段が、前記回転手段から得られる前記光ディスクの回転数と、前記振動検出手段が検出した振動と、に基づいて前記駆動手段を所定のゲインで駆動する信号を出力することを特徴とする請求項１乃至６のうちいずれか一項に記載の対物レンズ駆動装置。
【請求項８】
請求項１乃至７のうちいずれか一項に記載の対物レンズ駆動装置を備えた光ディスク再生装置。
【請求項９】
光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、
前記対物レンズに伝達される振動を検出し、検出した振動に基づいて、所定のゲインで前記対物レンズを駆動する信号を出力して、前記振動に基づく信号と光ディスクから読み出した信号に基づく信号とを加算して前記対物レンズを前記光ディスクに対して略鉛直方向および略径方向に駆動することを特徴とする対物レンズ駆動方法。
【発明の詳細な説明】
【技術分野】
【０００１】
本発明は、光ディスクを再生するために用いられる対物レンズの駆動装置と駆動方法および光ディスク再生装置に関する。
【背景技術】
【０００２】
従来、光ディスク装置に作用する振動は、ダンパーを利用して光ピックアップ（対物レンズ）に作用する振動を抑制していた。さらに、それに加えて光ディスクに照射したレーザ光の反射光から得られるフォーカスエラーおよびトラッキングエラー信号を用いたサーボ機構によっても光ディスク装置外部から作用する振動や光ディスクの偏芯や面ぶれなどによる合焦点やトラック位置の変動を抑制していた。例えば特許文献１には、トラッキングエラー信号の元になる信号から振動レベルを検出する変位量検出装置が記載されている。【０００３】
また他の振動抑制方法としては、例えば特許文献２に記載されている光ディスク原版露光装置が提案されている。特許文献２には、計測部から出力され偏差表示器の表示に応じて調整された振れ振動信号の周波数及び位相情報に基づいて移動台の受けた送り方向回転振動伝達力を打ち消す方向の駆動信号を加振器制御部から加振器に出力し、加振器を加振させて、振動を打ち消している。
【特許文献１】特開２００６−２７６３２６号公報
【特許文献２】特開２００４−７９０５６号公報
【発明の開示】
【発明が解決しようとする課題】
【０００４】
ダンパを用いた振動抑制は使用するダンパの特性によって減衰できない振動が存在する。フォーカスやトラッキングサーボを用いた振動抑制はサーボをオンにしないと正確な振動制御が困難である。また、特許文献１に記載の方法はサーボオフ時に回転数に応じたポジション信号と閾値を比較して最高回転速度を設定しているが、このときの振動が光ディスクの偏芯・面ぶれによるものなのか、そのときに機器外部から作用した振動によるものなのかを区別することは困難であるという問題があった。【０００５】
さらに、特許文献２に記載の方法では、相殺する振動を外部より加えるために、別途加振器のような比較的小型化が困難な部品や回路などが必要となるという問題がある。【０００６】
そこで、本発明は、例えばサーボ機構がオフでも機能することができ、かつ追加部品も最小限に抑えた対物レンズなどの光ピックアップに伝達される振動を抑制できる対物レンズ駆動装置、光ディスク再生装置および対物レンズ駆動方法を提供することを課題とする。
【課題を解決するための手段】
【０００７】
上記課題を解決するために、請求項１に記載の対物レンズ駆動装置は、光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、前記対物レンズに伝達される振動を検出する振動検出手段と、前記振動検出手段が検出した振動に基づいて、所定のゲインで前記駆動手段を駆動する信号を出力する振動信号出力手段と、前記振動信号出力手段が出力する信号と前記サーボ制御手段が出力する信号とを加算する加算手段と、備えたことを特徴としている。【０００８】
請求項９に記載の対物レンズ駆動方法は、光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、前記対物レンズに伝達される振動を検出し、検出した振動に基づいて、所定のゲインで前記対物レンズを駆動する信号を出力して、前記振動に基づく信号と光ディスクから読み出した信号に基づく信号とを加算して前記対物レンズを前記光ディスクに対して略鉛直方向および略径方向に駆動することを特徴としている。
【図面の簡単な説明】
【０００９】
【図１】本発明の第１の実施例にかかる光ディスク再生装置のブロック図である。
【図２】図１に示された光ディスク再生装置のフォーカスドライブＥＱ部およびトラッキングドライブＥＱ部の詳細ブロック図である。
【図３】図２に示されたフォーカスドライブＥＱ部およびトラッキングドライブＥＱ部の内部の各ブロックごとのゲイン設定の一例を示した説明図である。
【符号の説明】
【００１０】
１        光ディスク再生装置
２        スピンドルモータ（回転手段）
６        光ピックアップ（光源、対物レンズ、駆動手段）
７        ２軸加速度センサ（振動検出手段）
８        フォーカスドライブＥＱ部（振動信号出力手段）
９        トラッキングドライブＥＱ部（振動信号出力手段）
１１      フォーカスサーボＥＱ部（サーボ制御手段）
１３      トラッキングサーボＥＱ部（サーボ制御手段）
１４      ＬＰＦ（抑制手段）
１５      ＬＰＦ（抑制手段）
１６      加算器（抑制手段）
１７      加算器（抑制手段）
１８      加算器（加算手段）
１９      加算器（加算手段）
２５      光ディスク
【発明を実施するための最良の形態】
【００１１】
以下、本発明の一実施形態にかかる対物レンズ駆動装置を説明する。本発明の一実施形態にかかる対物レンズ駆動装置は、対物レンズに伝達される振動を振動検出手段が検出し、その振動に基づいて、所定のゲインで駆動手段を駆動する信号を振動信号出力手段から出力して、加算手段で振動信号出力手段が出力する信号とサーボ制御手段が出力する信号とを加算する。このようにすることにより、振動検出手段で振動を検出して振動信号出力手段で信号を生成出力しているので、サーボ機構を用いなくても振動を抑制することができ、さらに、かつ追加部品も小型の電子部品のみの最小限に抑えることができる。【００１２】
また、振動信号出力手段が出力する信号のうち、サーボ制御手段で抑制できる振動周波数帯域の信号を抑制する抑制手段を備えてもよい。このようにすることにより、サーボ機構と重複して振動を抑制することを防止できる。【００１３】
また、振動信号出力手段が、振動検出手段が検出した振動の周波数に応じて複数のゲインで駆動手段を駆動する信号を出力するようにしてもよい。このようにすることにより、振動の周波数に応じて適切なゲインで対物レンズを駆動することができる。【００１４】
また、振動信号出力手段が、サーボ制御手段で抑制できる振動周波数帯域より高い周波数の振動を振動検出手段が検出した際に信号を出力するようにしてもよい。このようにすることにより、サーボ機構で抑制できない振動も抑制することができる。【００１５】
また、対物レンズに伝達される振動を減衰するダンパを備え、振動信号出力手段が、ダンパで抑制できる振動周波数帯域未満の周波数の振動を振動検出手段が検出した際に信号を出力するようにしてもよい。このようにすることによりダンパで抑制できない振動も抑制することができる。【００１６】
また、振動検出手段が、対物レンズに対して略鉛直方向に伝達される振動と、略径方向に伝達される振動と、を検出してもよい。このようにすることにより、フォーカスおよびトラッキングの両方向における振動を検出することができる。【００１７】
また、振動信号出力手段が、回転手段から得られる光ディスクの回転数と、振動検出手段が検出した振動と、に基づいて駆動手段を所定のゲインで駆動する信号を出力するようにしてもよい。このようにすることにより、光ディスクの回転による振動に対しても抑制することができる。【００１８】
また、請求項１乃至７のうちいずれか一項に記載の対物レンズ駆動装置を光ディスク再生装置に備えてもよい。このようにすることにより、サーボ機構を用いなくても振動を抑制することができ、さらに、かつ追加部品も最小限に抑えることができる光ディスク再生装置とすることができる。【００１９】
また、本発明の一実施形態にかかる対物レンズ駆動方法は、対物レンズに伝達される振動を検出し、その振動に基づいて、所定のゲインで対物レンズを駆動する信号を出力して、その出力した信号と光ディスクから読み出した信号に基づく信号とを加算する。このようにすることにより、振動を検出して検出した振動に基づいて信号を生成出力しているので、サーボ機構を用いなくても振動を抑制することができる。
【実施例】
【００２０】
本発明の一実施例にかかる光ディスク再生装置１を図１ないし図３を参照して説明する。光ディスク再生装置１は、ＤＶＤ（Digital Versatile Disc）、ＣＤ（Compact Disc）等の光ディスクが再生可能な装置であり、図１に示すようにスピンドルモータ２と、ホール素子３と、ＦＧ信号生成部４と、Ｆ／Ｖ変換部５と、光ピックアップ６と、２軸加速度センサ７と、フォーカスドライブＥＱ部８と、トラッキングドライブＥＱ部９と、フォーカスエラー信号生成部１０と、フォーカスサーボＥＱ部１１と、トラッキングエラー信号生成部１２と、トラッキングサーボＥＱ部１３と、ＬＰＦ１４、１５と、加算器１６、１７、１８、１９と、フォーカスサーボドライブ部２０と、トラッキングサーボドライブ部２１と、音声映像再生処理部２２と、Ｄ／Ａコンバータ２３と、を備えている。【００２１】
なお、本実施例においては、音声映像再生処理部２２、Ｄ／Ａコンバータ２３、出力端子２４および光ディスク２５を除く部分で対物レンズ駆動装置を構成する。また、少なくともスピンドルモータ２、ホール素子３、光ピックアップ６、２軸加速度センサ７は光ディスク再生装置１内部で図示しない防振用のダンパによって支持されている。【００２２】
回転手段としてのスピンドルモータ２は、光ディスク再生装置１にセットされた光ディスク２５を回転させるためのモータである。本実施例では図示しないマイクロコンピュータなどによってＣＬＶ（線速度一定）制御されている。【００２３】
ホール素子３は、スピンドルモータ２に取り付けられ、スピンドルモータ２の回転数に比例して正弦波電圧の周波数が高くなる素子であり、ホール素子３が生成した正弦波はＦＧ信号生成部４に出力される。【００２４】
ＦＧ信号生成部４は、ホール素子３が生成した正弦波から該正弦波の周波数に応じて変化する回転パルス信号を生成しＦ／Ｖ変換部５に出力する。【００２５】
Ｆ／Ｖ変換部５は、ＦＧ信号生成部４から入力される回転パルス信号に基づいてスピンドルモータ２の回転周波数に比例した直流電圧を生成し、フォーカスドライブＥＱ部８およびトラッキングドライブＥＱ部９に出力する。【００２６】
光ピックアップ６は、光ディスク２５に照射する光としてのレーザ光を発生させる図示しない光源としてのレーザダイオードや、光ディスク２５上にレーザダイオードからのレーザ光を照射するための対物レンズ、フォーカスサーボドライブ部２０およびトラッキングサーボドライブ部２１からの信号に応じてフォーカスやトラッキングを合わせるために対物レンズを駆動する駆動手段としてのアクチュエータおよび光ディスク２５から反射された反射光を受ける受光器とを備え、受光器の出力をフォーカスエラー信号生成部１０、トラッキングエラー信号生成部１２および音声映像再生処理部２２に出力する。【００２７】
振動検出手段としての２軸加速度センサ７は、光ピックアップ６または光ピックアップ６と同等の振動特性を有する箇所に取り付けられている。２軸加速度センサ７は、軸方向（フォーカス方向）と、半径方向（トラッキング方向）の２つの方向の加速度（周波数、振幅）を検出し、軸方向の検出結果はフォーカスドライブＥＱ部８へ出力し、半径方向の検出結果がトラッキングドライブＥＱ部９に出力する。【００２８】
振動信号出力手段としてのフォーカスドライブＥＱ部８は、２軸加速度センサ７の軸方向の出力およびＦ／Ｖ変換部５の出力に基づいて光ピックアップ６のアクチュエータを駆動するために最適なゲインを設定し加算器１６に出力する。【００２９】
振動信号出力手段としてのトラッキングドライブＥＱ部９は、２軸加速度センサ７の半径方向の出力およびＦ／Ｖ変換部５の出力に基づいて光ピックアップ６のアクチュエータを駆動するために最適なゲインを設定し加算器１７に出力する。【００３０】
フォーカスドライブＥＱ部８およびトラッキングドライブＥＱ部９の詳細な構成を図２に示す。フォーカスドライブＥＱ部８およびトラッキングドライブＥＱ部９は、ＢＰＦ１３１と、ＬＰＦ３２と、ＢＰＦ２３３と、ＨＰＦ３４とを備えている。【００３１】
ＢＰＦ１３１は、２軸加速度センサ７の出力とＦ／Ｖ変換部５の出力が入力され、光ディスク２５の回転による振動を抑制する。ＢＰＦ１３１は、光ディスク２５がＣＬＶ制御される場合に再生位置に応じて光ディスク２５の回転数が変化するので光ディスク２５の回転数に合わせて所定の周波数帯域の範囲の振動を抑制する信号を発生させるために設けられたバンドパスフィルタである。２軸加速度センサ７の出力が入力されているのは、ＢＰＦ１３１と同じ周波数帯域の振動を２軸加速度センサ７が検出した場合も考慮するためである。振動の周波数が光ディスク２５の回転による振動の周波数帯域であった場合は、該周波数帯域の振動が抑制できるゲインで光ピックアップ６のアクチュエータを駆動できるような信号を出力する。【００３２】
ＬＰＦ３２は、２軸加速度センサ７の出力が入力され、防振用のダンパでは吸収できない所定周波数（数十Ｈｚ）未満の振動を抑制する信号を発生させるため設けられたローパスフィルタである。２軸加速度センサ７が検出した振動の周波数が所定周波数以下であった場合は、該所定周波数以下の振動が抑制できるゲインで光ピックアップ６のアクチュエータを駆動できるような信号を出力する。【００３３】
ＢＰＦ２３３は、２軸加速度センサ７の出力が入力され、フォーカスサーボやトラッキングサーボで抑制可能な振動周波数帯域で、かつＬＰＦ３２によって抑制される振動周波数よりも高い周波数帯域（数十Ｈｚ〜数ｋＨｚ）の振動を抑制する信号を発生させるために設けられたバンドパスフィルタである。２軸加速度センサ７が検出した振動の周波数がフォーカスサーボやトラッキングサーボで抑制可能な振動周波数帯域で、かつＬＰＦ３２によって抑制される振動周波数よりも高い周波数帯域であった場合は、該周波数帯域の振動が抑制できるゲインで光ピックアップ６のアクチュエータを駆動できるような信号を出力する。【００３４】
ＨＰＦ３４は、２軸加速度センサ７の出力が入力され、フォーカスサーボやトラッキングサーボで抑制可能な振動周波数よりも高い周波数帯域（数ｋＨｚ以上）の振動を抑制する信号を発生させるために設けられたハイパスフィルタである。２軸加速度センサ７が検出した振動の周波数がフォーカスサーボやトラッキングサーボで抑制可能な振動周波数帯域よりも高い周波数帯域であった場合は、該周波数帯域の振動が抑制できるゲインで光ピックアップ６のアクチュエータを駆動できるような信号を出力する。【００３５】
フォーカスエラー信号生成部１０は、光ピックアップ６の受光器から出力された信号に基づいて周知の非点収差法などによってフォーカスエラー信号を生成しフォーカスサーボＥＱ部１１に出力する。【００３６】
サーボ制御手段としてのフォーカスサーボＥＱ部１１は、フォーカスエラー信号生成部１０から入力されたフォーカスエラー信号に基づいて光ピックアップ６のアクチュエータを駆動するための信号を加算器１８に出力する。【００３７】
トラッキングエラー信号生成部１２は、光ピックアップ６の受光器から出力された信号に基づいて周知のＤＰＤ法や３ビーム法などによってトラッキングエラー信号を生成しトラッキングサーボＥＱ部１３に出力する。【００３８】
サーボ制御手段としてのトラッキングサーボＥＱ部１３は、トラッキングエラー信号生成部１２から入力されたトラッキングエラー信号に基づいて光ピックアップ６のアクチュエータを駆動するための信号を加算器１９に出力する。【００３９】
抑制手段としてのＬＰＦ１４および１５は、フォーカスサーボＥＱ部１１およびトラッキングサーボＥＱ部１３からそれぞれ出力された信号について、所定の周波数以下の信号を通過させるためのローパスフィルタである。所定の周波数以下とはフォーカスサーボおよびトラッキングサーボで抑制することができる最大振動周波数以下を示す。【００４０】
抑制手段としての加算器１６は、フォーカスドライブＥＱ部８の出力からＬＰＦ１４の出力を減算して加算器１８へ出力する。抑制手段としての加算器１７は、トラッキングドライブＥＱ部９の出力からＬＰＦ１５の出力を減算して加算器１９へ出力する。【００４１】
加算手段としての加算器１８は、フォーカスサーボＥＱ部１１の出力と加算器１６の出力とを加算してフォーカスサーボドライブ部２０へ出力する。加算手段としての加算器１９は、トラッキングサーボＥＱ部１３の出力と加算器１７の出力とを加算してトラッキングサーボドライブ部２１へ出力する。【００４２】
フォーカスサーボドライブ部２０は、加算器１８から入力されたゲインに応じた電流を光ピックアップ６のアクチュエータに供給する。【００４３】
トラッキングサーボドライブ部２１は、加算器１９から入力されたゲインに応じた電流を光ピックアップ６のアクチュエータに供給する。【００４４】
音声映像再生処理部２２は、光ピックアップ６から入力された信号をアナログ／デジタル変換後にエラー訂正などを行った後復調や復号化を行ってＤ／Ａコンバータ２３へ出力する。【００４５】
Ｄ／Ａコンバータ２３は、音声映像再生処理部２２から入力されたデジタル信号をアナログ信号に変換し出力端子２４から出力する。【００４６】
次に、上述した構成の光ディスク再生装置１において、光ピックアップ６の対物レンズに伝達される振動の抑制動作を説明する。まず、光ディスク２５の再生動作中はフォーカスサーボとトラッキングサーボが動作している。つまりフォーカスエラー信号とトラッキングエラー信号に基づいてフォーカスとトラッキング方向について対物レンズが光ディスク２５の記録面に追従している。この状態で２軸加速度センサ７が振動を検出すると、フォーカスドライブＥＱ部８およびトラッキングドライブＥＱ部９に検出された振動の周波数と振幅が入力される。また、スピンドルモータ２の回転数に応じた直流電圧値もフォーカスドライブＥＱ部８およびトラッキングドライブＥＱ部９に入力されている。フォーカスドライブＥＱ部８およびトラッキングドライブＥＱ部９は、入力された振動の周波数帯域に応じて所定のゲインで駆動できるような信号を加算器１６および１７へ出力する。この際のＢＰＦ１３１、ＬＰＦ３２、ＢＰＦ２３３、ＨＰＦ３４の各部の出力する信号によるゲインの設定を図３のようにそれぞれ別のゲインとなるように設定されているとすると、例えば入力された振動周波数が５ｋＨｚであった場合はＨＰＦ３４から図３のゲインで駆動できるような信号が出力され他のＢＰＦ１３１、ＬＰＦ３２、ＢＰＦ２３３からは信号は出力されない。【００４７】
一方、フォーカスサーボＥＱ部１１とトラッキングサーボＥＱ部１３から出力された信号はＬＰＦ１４および１５を通して加算器１６および１７に入力される。そして、加算器１６および１７において、フォーカスドライブＥＱ部８およびトラッキングドライブＥＱ部９の出力からＬＰＦ１４および１５を通したフォーカスサーボＥＱ部１１とトラッキングサーボＥＱ部１３から出力を減算する。すなわち、フォーカスサーボおよびトラッキングサーボで抑制する周波数帯域分を除去し、同じ周波数帯域に重複して振動抑制を行うことを防止する。そして、フォーカスサーボおよびトラッキングサーボで抑制する周波数帯域が除去された信号が加算器１８および１９でフォーカスサーボおよびトラッキングサーボの信号に加算される。したがって、フォーカスサーボおよびトラッキングサーボが動作しているときは、２軸加速度センサ７による振動の検出はフォーカスサーボおよびトラッキングサーボで抑制できない周波数帯域の振動を抑制するように動作する（図３でいうと４ｋＨｚ超の周波数帯域）。すなわち、フォーカスサーボおよびトラッキングサーボで抑制できない周波数帯域の振動について、従来は数十Ｈｚ以上（本実施例では４０Ｈｚ以上）の振動を吸収可能な防振用のダンパが抑制していたが、本実施例ではフォーカスサーボおよびトラッキングサーボと、２軸加速度センサ７による振動の検出とに基づいて全ての周波数帯域の振動を抑制できるため、ダンパの有無に関わらず音飛びなどをより少なくすることができる。【００４８】
次に、フォーカスサーボやトラッキングサーボが動作していないときについて説明する。光ディスクを再生する前のサーボがオンになる前は、フォーカスサーボもトラッキングサーボも動作していないので、フォーカスサーボやトラッキングサーボで抑制する振動周波数帯域（本実施例では４ｋＨｚ以下）も２軸加速センサ７により検出して主にＢＰＦ２３３からの信号によって振動を抑制する。フォーカスサーボやトラッキングサーボが動作していないときは、フォーカスサーボＥＱ部１１およびトラッキングサーボＥＱ部１３は信号を出力しないため、ＬＰＦ１４および１５は動作せず、加算器１６および１７によってフォーカスサーボやトラッキングサーボと重複する振動周波数成分に対応する信号はそのままフォーカスサーボドライブ部２０およびトラッキングサーボドライブ部２１に入力される。したがって、フォーカスサーボやトラッキングサーボが動作していないときでも全ての周波数帯域の振動を２軸加速度センサ７による振動の検出に基づいて抑制できるため、ダンパの有無に関わらず再生前のサーボの引き込み動作やサーボゲインおよびバランスの設定などのセットアップをスムーズに行うことができる。【００４９】
本実施例によれば、光ディスク再生装置１の振動を抑制するために、光ピックアップ６または光ピックアップ６と同等の振動特性を有する箇所に取り付けられた２軸加速度センサ７で光ピックアップ６に伝達される振動を検出し、フォーカスドライブＥＱ部８およびトラッキングドライブＥＱ部９で振動を減衰できるようなゲインで光ピックアップ６のアクチュエータを駆動する信号を出力する。フォーカスサーボやトラッキングサーボが動作している場合は、フォーカスサーボやトラッキングサーボで減衰できない振動周波数帯域の振動を減衰し、フォーカスサーボやトラッキングサーボが動作していない場合は、フォーカスサーボやトラッキングサーボが減衰する振動周波数帯域も減衰する。このようにすることによって、フォーカスサーボやトラッキングサーボで減衰できない振動も減衰できるので再生動作中の音飛びなどを少なくすることができ、サーボが動作していなくても機能するので、再生動作前のセットアップなどをスムーズに行うことができる。【００５０】
なお、上述した実施例では、フォーカスドライブＥＱ部８やトラッキングドライブＥＱ部９の各フィルタの出力信号が駆動するゲインを別にしていたが同じにしてもよい。【００５１】
また、フォーカスドライブＥＱ部８やトラッキングドライブＥＱ部９の各フィルタの出力信号によって光ピックアップ６のアクチュエータを駆動するゲインを適切に設定することによって防振用のダンパを削除することができる。【００５２】
前述した実施例によれば、以下の対物レンズ駆動装置および対物レンズ駆動方法が得られる。【００５３】
（付記１）光ディスク２５から情報を読み出すための光を発生する光源と、光源が発生した光を光ディスク２５に合焦させる対物レンズと、対物レンズを光ディスク２５に対して略鉛直方向および略径方向に移動させるアクチュエータと、アクチュエータを光ディスク２５から読み出した信号に基づいて所定のゲインでアクチュエータを駆動する信号を出力するフォーカスサーボＥＱ部１１およびトラッキングサーボＥＱ部１３と、光ディスク２５を回転させるスピンドルモータ２と、を備えた対物レンズ駆動装置において、
対物レンズに伝達される振動を検出する２軸加速度センサ７と、
２軸加速度センサ７が検出した振動に基づいて、所定のゲインでアクチュエータを駆動する信号を出力するフォーカスドライブＥＱ部８およびトラッキングドライブＥＱ部９と、
フォーカスドライブＥＱ部８およびトラッキングドライブＥＱ部９が出力する信号とフォーカスサーボＥＱ部１１およびトラッキングサーボＥＱ部１３が出力する信号とを加算する加算器１８および加算器１９と、
を備えたことを特徴とする対物レンズ駆動装置。【００５４】
この対物レンズ駆動装置によれば、２軸加速度センサ７で振動を検出してフォーカスドライブＥＱ部８およびトラッキングドライブＥＱ部９で信号を生成出力しているので、サーボ機構を用いなくても振動を抑制することができ、さらに、かつ追加部品も最小限に抑えることができる。【００５５】
（付記２）光ディスク２５から情報を読み出すための光を発生し、発生した光を対物レンズによって光ディスク２５に合焦させ、対物レンズを光ディスク２５に対して略鉛直方向および略径方向に移動させるように光ディスク２５から読み出した信号に基づいて所定のゲインで対物レンズを駆動し、光ディスク２５から読み出した情報を再生する対物レンズ駆動方法において、
対物レンズに伝達される振動を検出し、検出した振動に基づいて、所定のゲインで対物レンズを駆動する信号を出力して、振動に基づく信号と光ディスク２５から読み出した信号に基づく信号とを加算して対物レンズを光ディスク２５に対して略鉛直方向および略径方向に起動することを特徴とする対物レンズ駆動方法。【００５６】
この対物レンズ駆動方法によれば、振動を検出して検出した振動に基づいて信号を生成出力しているので、サーボ機構を用いなくても振動を抑制することができる。【００５７】
なお、前述した実施例は本発明の代表的な形態を示したに過ぎず、本発明は、実施例に限定されるものではない。すなわち、本発明の骨子を逸脱しない範囲で種々変形して実施することができる。
【図１】
2008087703.tif 000003
【図２】
2008087703.tif 000004
【図３】
2008087703.tif 000005
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、
前記対物レンズに伝達される振動を検出する振動検出手段と、
前記振動検出手段が検出した振動と、前記回転手段から得られる前記光ディスクの回転数と、に基づいて、所定のゲインで前記駆動手段を駆動する信号を出力する振動信号出力手段と、
前記振動信号出力手段が出力する信号と前記サーボ制御手段が出力する信号とを加算する加算手段と、
を備えたことを特徴とする対物レンズ駆動装置。
【請求項２】
光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、
前記対物レンズに伝達される振動を検出する振動検出手段と、
前記対物レンズに伝達される振動を減衰するダンパと、
前記ダンパで抑制できる振動周波数帯域未満の周波数の振動を前記振動検出手段が検出した際に、所定のゲインで前記駆動手段を駆動する信号を出力する振動信号出力手段と、
前記振動信号出力手段が出力する信号と前記サーボ制御手段が出力する信号とを加算する加算手段と、
を備えたことを特徴とする対物レンズ駆動装置。
【請求項３】
光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、
前記対物レンズに伝達される振動を検出する振動検出手段と、
前記振動検出手段が検出した振動の周波数に応じて複数のゲインで前記駆動手段を駆動する信号を出力する振動信号出力手段と、
前記振動信号出力手段が出力する信号と前記サーボ制御手段が出力する信号とを加算する加算手段と、
を備えたことを特徴とする対物レンズ駆動装置。
【請求項４】
光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、
前記対物レンズに伝達される振動を検出する振動検出手段と、
前記振動検出手段が検出した振動に基づいて、所定のゲインで前記駆動手段を駆動する信号を出力する振動信号出力手段と、
前記振動信号出力手段が出力する信号と前記サーボ制御手段が出力する信号とを加算する加算手段と、
前記振動信号出力手段が出力する信号のうち、前記サーボ制御手段で抑制できる振動周波数帯域の信号を抑制する抑制手段と、
を備えたことを特徴とする対物レンズ駆動装置。
【請求項５】
請求項１乃至４のうちいずれか一項に記載の対物レンズ駆動装置を備えた光ディスク再生装置。
【請求項６】
光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、
前記対物レンズに伝達される振動を検出し、検出した振動と、前記光ディスクの回転数と、に基づいて、所定のゲインで前記対物レンズを駆動する信号を出力して、前記振動に基づく信号と光ディスクから読み出した信号に基づく信号とを加算して前記対物レンズを前記光ディスクに対して略鉛直方向および略径方向に駆動することを特徴とする対物レンズ駆動方法。
【請求項７】
光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、
前記対物レンズに伝達される振動を検出し、前記対物レンズに伝達される振動を減衰するダンパで抑制できる振動周波数帯域未満の周波数の振動を検出した際に、所定のゲインで前記対物レンズを駆動する信号を出力して、前記振動に基づく信号と光ディスクから読み出した信号に基づく信号とを加算して前記対物レンズを前記光ディスクに対して略鉛直方向および略径方向に駆動することを特徴とする対物レンズ駆動方法。
【請求項８】
光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、
前記対物レンズに伝達される振動を検出し、検出した振動の周波数に応じて複数のゲインで前記対物レンズを駆動する信号を出力して、前記振動に基づく信号と光ディスクから読み出した信号に基づく信号とを加算して前記対物レンズを前記光ディスクに対して略鉛直方向および略径方向に駆動することを特徴とする対物レンズ駆動方法。
【請求項９】
光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、
前記対物レンズに伝達される振動を検出し、検出した振動に基づいて、所定のゲインで前記対物レンズを駆動する信号を出力するとともに、前記対物レンズの駆動によって抑制できる振動周波数帯域の信号は抑制して、前記対物レンズの駆動によって抑制できる振動周波数帯域の信号が抑制された前記振動に基づく信号と光ディスクから読み出した信号に基づく信号とを加算して前記対物レンズを前記光ディスクに対して略鉛直方向および略径方向に駆動することを特徴とする対物レンズ駆動方法。
【手続補正２】
【補正対象書類名】明細書
【補正対象項目名】全文
【補正方法】変更
【補正の内容】
【発明の詳細な説明】
【技術分野】
【０００１】
本発明は、光ディスクを再生するために用いられる対物レンズの駆動装置と駆動方法および光ディスク再生装置に関する。
【背景技術】
【０００２】
従来、光ディスク装置に作用する振動は、ダンパーを利用して光ピックアップ（対物レンズ）に作用する振動を抑制していた。さらに、それに加えて光ディスクに照射したレーザ光の反射光から得られるフォーカスエラーおよびトラッキングエラー信号を用いたサーボ機構によっても光ディスク装置外部から作用する振動や光ディスクの偏芯や面ぶれなどによる合焦点やトラック位置の変動を抑制していた。例えば特許文献１には、トラッキングエラー信号の元になる信号から振動レベルを検出する変位量検出装置が記載されている。
【０００３】
また他の振動抑制方法としては、例えば特許文献２に記載されている光ディスク原版露光装置が提案されている。特許文献２には、計測部から出力され偏差表示器の表示に応じて調整された振れ振動信号の周波数及び位相情報に基づいて移動台の受けた送り方向回転振動伝達力を打ち消す方向の駆動信号を加振器制御部から加振器に出力し、加振器を加振させて、振動を打ち消している。
【先行技術文献】
【特許文献】
【０００４】
【特許文献１】特開２００５−２７６３２６号公報
【特許文献２】特開２００４−７９０５６号公報
【発明の概要】
【発明が解決しようとする課題】
【０００５】
ダンパを用いた振動抑制は使用するダンパの特性によって減衰できない振動が存在する。フォーカスやトラッキングサーボを用いた振動抑制はサーボをオンにしないと正確な振動制御が困難である。また、特許文献１に記載の方法はサーボオフ時に回転数に応じたポジション信号と閾値を比較して最高回転速度を設定しているが、このときの振動が光ディスクの偏芯・面ぶれによるものなのか、そのときに機器外部から作用した振動によるものなのかを区別することは困難であるという問題があった。
【０００６】
さらに、特許文献２に記載の方法では、相殺する振動を外部より加えるために、別途加振器のような比較的小型化が困難な部品や回路などが必要となるという問題がある。
【０００７】
そこで、本発明は、例えばサーボ機構がオフでも機能することができ、かつ追加部品も最小限に抑えた対物レンズなどの光ピックアップに伝達される振動を抑制できる対物レンズ駆動装置、光ディスク再生装置および対物レンズ駆動方法を提供することを課題とする。
【課題を解決するための手段】
【０００８】
上記課題を解決するために、請求項１に記載の対物レンズ駆動装置は、光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、前記対物レンズに伝達される振動を検出する振動検出手段と、前記振動検出手段が検出した振動と、前記回転手段から得られる前記光ディスクの回転数と、に基づいて、所定のゲインで前記駆動手段を駆動する信号を出力する振動信号出力手段と、前記振動信号出力手段が出力する信号と前記サーボ制御手段が出力する信号とを加算する加算手段と、を備えたことを特徴としている。
【０００９】
請求項２に記載の対物レンズ駆動装置は、光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、前記対物レンズに伝達される振動を検出する振動検出手段と、前記対物レンズに伝達される振動を減衰するダンパと、前記ダンパで抑制できる振動周波数帯域未満の周波数の振動を前記振動検出手段が検出した際に、所定のゲインで前記駆動手段を駆動する信号を出力する振動信号出力手段と、前記振動信号出力手段が出力する信号と前記サーボ制御手段が出力する信号とを加算する加算手段と、を備えたことを特徴としている。
【００１０】
請求項３に記載の対物レンズ駆動装置は、光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、前記対物レンズに伝達される振動を検出する振動検出手段と、前記振動検出手段が検出した振動の周波数に応じて複数のゲインで前記駆動手段を駆動する信号を出力する振動信号出力手段と、前記振動信号出力手段が出力する信号と前記サーボ制御手段が出力する信号とを加算する加算手段と、を備えたことを特徴としている。
【００１１】
請求項４に記載の対物レンズ駆動装置は、光ディスクから情報を読み出すための光を発生する光源と、前記光源が発生した光を前記光ディスクに合焦させる対物レンズと、前記対物レンズを前記光ディスクに対して略鉛直方向および略径方向に移動させる駆動手段と、前記駆動手段を前記光ディスクから読み出した信号に基づいて所定のゲインで前記駆動手段を駆動する信号を出力するサーボ制御手段と、前記光ディスクを回転させる回転手段と、を備えた対物レンズ駆動装置において、前記対物レンズに伝達される振動を検出する振動検出手段と、前記振動検出手段が検出した振動に基づいて、所定のゲインで前記駆動手段を駆動する信号を出力する振動信号出力手段と、前記振動信号出力手段が出力する信号と前記サーボ制御手段が出力する信号とを加算する加算手段と、前記振動信号出力手段が出力する信号のうち、前記サーボ制御手段で抑制できる振動周波数帯域の信号を抑制する抑制手段と、を備えたことを特徴としている。
【００１２】
請求項６に記載の対物レンズ駆動方法は、光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、前記対物レンズに伝達される振動を検出し、検出した振動と、前記光ディスクの回転数と、に基づいて、所定のゲインで前記対物レンズを駆動する信号を出力して、前記振動に基づく信号と光ディスクから読み出した信号に基づく信号とを加算して前記対物レンズを前記光ディスクに対して略鉛直方向および略径方向に駆動することを特徴としている。
【００１３】
請求項７に記載の対物レンズ駆動方法は、光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、前記対物レンズに伝達される振動を検出し、前記対物レンズに伝達される振動を減衰するダンパで抑制できる振動周波数帯域未満の周波数の振動を検出した際に、所定のゲインで前記対物レンズを駆動する信号を出力して、前記振動に基づく信号と光ディスクから読み出した信号に基づく信号とを加算して前記対物レンズを前記光ディスクに対して略鉛直方向および略径方向に駆動することを特徴としている。
【００１４】
請求項８に記載の対物レンズ駆動方法は、光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、前記対物レンズに伝達される振動を検出し、検出した振動の周波数に応じて複数のゲインで前記対物レンズを駆動する信号を出力して、前記振動に基づく信号と光ディスクから読み出した信号に基づく信号とを加算して前記対物レンズを前記光ディスクに対して略鉛直方向および略径方向に駆動することを特徴としている。
【００１５】
請求項９に記載の対物レンズ駆動方法は、光ディスクから情報を読み出すための光を発生し、発生した光を対物レンズによって前記光ディスクに合焦させ、前記対物レンズを前記光ディスクに対して略鉛直方向および略径方向に移動させるように前記光ディスクから読み出した信号に基づいて所定のゲインで前記対物レンズを駆動し、前記光ディスクから読み出した情報を再生する対物レンズ駆動方法において、前記対物レンズに伝達される振動を検出し、検出した振動に基づいて、所定のゲインで前記対物レンズを駆動する信号を出力するとともに、前記対物レンズの駆動によって抑制できる振動周波数帯域の信号は抑制して、前記対物レンズの駆動によって抑制できる振動周波数帯域の信号が抑制された前記振動に基づく信号と光ディスクから読み出した信号に基づく信号とを加算して前記対物レンズを前記光ディスクに対して略鉛直方向および略径方向に駆動することを特徴としている。
【図面の簡単な説明】
【００１６】
【図１】本発明の第１の実施例にかかる光ディスク再生装置のブロック図である。
【図２】図１に示された光ディスク再生装置のフォーカスドライブＥＱ部およびトラッキングドライブＥＱ部の詳細ブロック図である。
【図３】図２に示されたフォーカスドライブＥＱ部およびトラッキングドライブＥＱ部の内部の各ブロックごとのゲイン設定の一例を示した説明図である。
【発明を実施するための形態】
【００１７】
以下、本発明の一実施形態にかかる対物レンズ駆動装置を説明する。本発明の一実施形態にかかる対物レンズ駆動装置は、対物レンズに伝達される振動を振動検出手段が検出し、その振動と、回転手段から得られる光ディスクの回転数と、に基づいて、所定のゲインで駆動手段を駆動する信号を振動信号出力手段から出力して、加算手段で振動信号出力手段が出力する信号とサーボ制御手段が出力する信号とを加算するようにしてもよい。このようにすることにより、振動検出手段で振動を検出して振動信号出力手段で信号を生成出力しているので、サーボ機構を用いなくても振動を抑制することができ、さらに、光ディスクの回転による振動に対しても抑制することができる。また、追加部品も小型の電子部品のみの最小限に抑えることができる。
【００１８】
また、対物レンズに伝達される振動を振動検出手段が検出し、対物レンズに伝達される振動を減衰するダンパで抑制できる振動周波数帯域未満の周波数の振動を振動検出手段が検出した際に、所定のゲインで駆動手段を駆動する信号を振動信号出力手段から出力して、加算手段で振動信号出力手段が出力する信号とサーボ制御手段が出力する信号とを加算するようにしてもよい。このようにすることにより、振動検出手段で振動を検出して振動信号出力手段で信号を生成出力しているので、サーボ機構を用いなくても振動を抑制することができ、さらに、ダンパで抑制できない振動も抑制することができる。また、追加部品も小型の電子部品のみの最小限に抑えることができる。
【００１９】
また、対物レンズに伝達される振動を振動検出手段が検出し、その振動の周波数に応じて複数のゲインで駆動手段を駆動する信号を振動信号出力手段から出力して、加算手段で振動信号出力手段が出力する信号とサーボ制御手段が出力する信号とを加算するようにしてもよい。このようにすることにより、振動検出手段で振動を検出して振動信号出力手段で信号を生成出力しているので、サーボ機構を用いなくても振動を抑制して振動の周波数に応じて適切なゲインで対物レンズを駆動することができ、さらに、追加部品も小型の電子部品のみの最小限に抑えることができる。
【００２０】
また、対物レンズに伝達される振動を振動検出手段が検出し、その振動に基づいて、所定のゲインで駆動手段を駆動する信号を振動信号出力手段から出力し、抑制手段で振動信号出力手段が出力する信号のうち、サーボ制御手段で抑制できる振動周波数帯域の信号を抑制して、加算手段でサーボ制御手段で抑制できる振動周波数帯域の信号が抑制された信号とサーボ制御手段が出力する信号とを加算する。このようにすることにより、振動検出手段で振動を検出して振動信号出力手段で信号を生成出力しているので、サーボ機構を用いなくても振動を抑制することができ、さらに、サーボ機構を用いた場合でもサーボ機構と重複して振動を抑制することを防止できる。また、追加部品も小型の電子部品のみの最小限に抑えることができる。
【００２１】
また、請求項１乃至４のうちいずれか一項に記載の対物レンズ駆動装置を光ディスク再生装置に備えてもよい。このようにすることにより、サーボ機構を用いなくても振動を抑制することができ、さらに、かつ追加部品も最小限に抑えることができる光ディスク再生装置とすることができる。
【００２２】
また、本発明の一実施形態にかかる対物レンズ駆動方法は、対物レンズに伝達される振動を検出し、その振動と、光ディスクの回転数と、に基づいて、所定のゲインで対物レンズを駆動する信号を出力して、その出力した信号と光ディスクから読み出した信号に基づく信号とを加算する。このようにすることにより、振動を検出して検出した振動に基づいて信号を生成出力しているので、サーボ機構を用いなくても振動を抑制することができ、さらに、光ディスクの回転による振動に対しても抑制することができる。
【００２３】
また、対物レンズに伝達される振動を検出し、対物レンズに伝達される振動を減衰するダンパで抑制できる振動周波数帯域未満の周波数の振動を検出した際に、所定のゲインで対物レンズを駆動する信号を出力して、その出力した信号と光ディスクから読み出した信号に基づく信号とを加算するようにしてもよい。このようにすることにより、振動を検出して検出した振動に基づいて信号を生成出力しているので、サーボ機構を用いなくても振動を抑制することができ、さらに、ダンパで抑制できない振動も抑制することができる。
【００２４】
また、対物レンズに伝達される振動を検出し、その振動の周波数に応じて複数のゲインで対物レンズを駆動する信号を出力して、その出力した信号と光ディスクから読み出した信号に基づく信号とを加算するようにしてもよい。このようにすることにより、振動を検出して検出した振動に基づいて信号を生成出力しているので、サーボ機構を用いなくても振動を抑制して振動の周波数に応じて適切なゲインで対物レンズを駆動することができる。
【００２５】
また、対物レンズに伝達される振動を検出し、その振動に基づいて、所定のゲインで対物レンズを駆動する信号を出力し、所定のゲインで対物レンズを駆動する信号のうち、対物レンズの駆動で抑制できる振動周波数帯域の信号を抑制して、その対物レンズの駆動で抑制できる振動周波数帯域の信号を抑制された信号と光ディスクから読み出した信号に基づく信号とを加算する。このようにすることにより、振動を検出して検出した振動に基づいて信号を生成出力しているので、サーボ機構を用いなくても振動を抑制することができ、さらに、サーボ機構を用いた場合でもサーボ機構と重複して振動を抑制することを防止できる。
【実施例】
【００２６】
本発明の一実施例にかかる光ディスク再生装置１を図１ないし図３を参照して説明する。光ディスク再生装置１は、ＤＶＤ（Digital Versatile Disc）、ＣＤ（Compact Disc）等の光ディスクが再生可能な装置であり、図１に示すようにスピンドルモータ２と、ホール素子３と、ＦＧ信号生成部４と、Ｆ／Ｖ変換部５と、光ピックアップ６と、２軸加速度センサ７と、フォーカスドライブＥＱ部８と、トラッキングドライブＥＱ部９と、フォーカスエラー信号生成部１０と、フォーカスサーボＥＱ部１１と、トラッキングエラー信号生成部１２と、トラッキングサーボＥＱ部１３と、ＬＰＦ１４、１５と、加算器１６、１７、１８、１９と、フォーカスサーボドライブ部２０と、トラッキングサーボドライブ部２１と、音声映像再生処理部２２と、Ｄ／Ａコンバータ２３と、を備えている。
【００２７】
なお、本実施例においては、音声映像再生処理部２２、Ｄ／Ａコンバータ２３、出力端子２４および光ディスク２５を除く部分で対物レンズ駆動装置を構成する。また、少なくともスピンドルモータ２、ホール素子３、光ピックアップ６、２軸加速度センサ７は光ディスク再生装置１内部で図示しない防振用のダンパによって支持されている。
【００２８】
回転手段としてのスピンドルモータ２は、光ディスク再生装置１にセットされた光ディスク２５を回転させるためのモータである。本実施例では図示しないマイクロコンピュータなどによってＣＬＶ（線速度一定）制御されている。
【００２９】
ホール素子３は、スピンドルモータ２に取り付けられ、スピンドルモータ２の回転数に比例して正弦波電圧の周波数が高くなる素子であり、ホール素子３が生成した正弦波はＦＧ信号生成部４に出力される。
【００３０】
ＦＧ信号生成部４は、ホール素子３が生成した正弦波から該正弦波の周波数に応じて変化する回転パルス信号を生成しＦ／Ｖ変換部５に出力する。
【００３１】
Ｆ／Ｖ変換部５は、ＦＧ信号生成部４から入力される回転パルス信号に基づいてスピンドルモータ２の回転周波数に比例した直流電圧を生成し、フォーカスドライブＥＱ部８およびトラッキングドライブＥＱ部９に出力する。
【００３２】
光ピックアップ６は、光ディスク２５に照射する光としてのレーザ光を発生させる図示しない光源としてのレーザダイオードや、光ディスク２５上にレーザダイオードからのレーザ光を照射するための対物レンズ、フォーカスサーボドライブ部２０およびトラッキングサーボドライブ部２１からの信号に応じてフォーカスやトラッキングを合わせるために対物レンズを駆動する駆動手段としてのアクチュエータおよび光ディスク２５から反射された反射光を受ける受光器とを備え、受光器の出力をフォーカスエラー信号生成部１０、トラッキングエラー信号生成部１２および音声映像再生処理部２２に出力する。
【００３３】
振動検出手段としての２軸加速度センサ７は、光ピックアップ６または光ピックアップ６と同等の振動特性を有する箇所に取り付けられている。２軸加速度センサ７は、軸方向（フォーカス方向）と、半径方向（トラッキング方向）の２つの方向の加速度（周波数、振幅）を検出し、軸方向の検出結果はフォーカスドライブＥＱ部８へ出力し、半径方向の検出結果がトラッキングドライブＥＱ部９に出力する。
【００３４】
振動信号出力手段としてのフォーカスドライブＥＱ部８は、２軸加速度センサ７の軸方向の出力およびＦ／Ｖ変換部５の出力に基づいて光ピックアップ６のアクチュエータを駆動するために最適なゲインを設定し加算器１６に出力する。
【００３５】
振動信号出力手段としてのトラッキングドライブＥＱ部９は、２軸加速度センサ７の半径方向の出力およびＦ／Ｖ変換部５の出力に基づいて光ピックアップ６のアクチュエータを駆動するために最適なゲインを設定し加算器１７に出力する。
【００３６】
フォーカスドライブＥＱ部８およびトラッキングドライブＥＱ部９の詳細な構成を図２に示す。フォーカスドライブＥＱ部８およびトラッキングドライブＥＱ部９は、ＢＰＦ１３１と、ＬＰＦ３２と、ＢＰＦ２３３と、ＨＰＦ３４とを備えている。
【００３７】
ＢＰＦ１３１は、２軸加速度センサ７の出力とＦ／Ｖ変換部５の出力が入力され、光ディスク２５の回転による振動を抑制する。ＢＰＦ１３１は、光ディスク２５がＣＬＶ制御される場合に再生位置に応じて光ディスク２５の回転数が変化するので光ディスク２５の回転数に合わせて所定の周波数帯域の範囲の振動を抑制する信号を発生させるために設けられたバンドパスフィルタである。２軸加速度センサ７の出力が入力されているのは、ＢＰＦ１３１と同じ周波数帯域の振動を２軸加速度センサ７が検出した場合も考慮するためである。振動の周波数が光ディスク２５の回転による振動の周波数帯域であった場合は、該周波数帯域の振動が抑制できるゲインで光ピックアップ６のアクチュエータを駆動できるような信号を出力する。
【００３８】
ＬＰＦ３２は、２軸加速度センサ７の出力が入力され、防振用のダンパでは吸収できない所定周波数（数十Ｈｚ）未満の振動を抑制する信号を発生させるため設けられたローパスフィルタである。２軸加速度センサ７が検出した振動の周波数が所定周波数以下であった場合は、該所定周波数以下の振動が抑制できるゲインで光ピックアップ６のアクチュエータを駆動できるような信号を出力する。
【００３９】
ＢＰＦ２３３は、２軸加速度センサ７の出力が入力され、フォーカスサーボやトラッキングサーボで抑制可能な振動周波数帯域で、かつＬＰＦ３２によって抑制される振動周波数よりも高い周波数帯域（数十Ｈｚ〜数ｋＨｚ）の振動を抑制する信号を発生させるために設けられたバンドパスフィルタである。２軸加速度センサ７が検出した振動の周波数がフォーカスサーボやトラッキングサーボで抑制可能な振動周波数帯域で、かつＬＰＦ３２によって抑制される振動周波数よりも高い周波数帯域であった場合は、該周波数帯域の振動が抑制できるゲインで光ピックアップ６のアクチュエータを駆動できるような信号を出力する。
【００４０】
ＨＰＦ３４は、２軸加速度センサ７の出力が入力され、フォーカスサーボやトラッキングサーボで抑制可能な振動周波数よりも高い周波数帯域（数ｋＨｚ以上）の振動を抑制する信号を発生させるために設けられたハイパスフィルタである。２軸加速度センサ７が検出した振動の周波数がフォーカスサーボやトラッキングサーボで抑制可能な振動周波数帯域よりも高い周波数帯域であった場合は、該周波数帯域の振動が抑制できるゲインで光ピックアップ６のアクチュエータを駆動できるような信号を出力する。
【００４１】
フォーカスエラー信号生成部１０は、光ピックアップ６の受光器から出力された信号に基づいて周知の非点収差法などによってフォーカスエラー信号を生成しフォーカスサーボＥＱ部１１に出力する。
【００４２】
サーボ制御手段としてのフォーカスサーボＥＱ部１１は、フォーカスエラー信号生成部１０から入力されたフォーカスエラー信号に基づいて光ピックアップ６のアクチュエータを駆動するための信号を加算器１８に出力する。
【００４３】
トラッキングエラー信号生成部１２は、光ピックアップ６の受光器から出力された信号に基づいて周知のＤＰＤ法や３ビーム法などによってトラッキングエラー信号を生成しトラッキングサーボＥＱ部１３に出力する。
【００４４】
サーボ制御手段としてのトラッキングサーボＥＱ部１３は、トラッキングエラー信号生成部１２から入力されたトラッキングエラー信号に基づいて光ピックアップ６のアクチュエータを駆動するための信号を加算器１９に出力する。
【００４５】
抑制手段としてのＬＰＦ１４および１５は、フォーカスサーボＥＱ部１１およびトラッキングサーボＥＱ部１３からそれぞれ出力された信号について、所定の周波数以下の信号を通過させるためのローパスフィルタである。所定の周波数以下とはフォーカスサーボおよびトラッキングサーボで抑制することができる最大振動周波数以下を示す。
【００４６】
抑制手段としての加算器１６は、フォーカスドライブＥＱ部８の出力からＬＰＦ１４の出力を減算して加算器１８へ出力する。抑制手段としての加算器１７は、トラッキングドライブＥＱ部９の出力からＬＰＦ１５の出力を減算して加算器１９へ出力する。
【００４７】
加算手段としての加算器１８は、フォーカスサーボＥＱ部１１の出力と加算器１６の出力とを加算してフォーカスサーボドライブ部２０へ出力する。加算手段としての加算器１９は、トラッキングサーボＥＱ部１３の出力と加算器１７の出力とを加算してトラッキングサーボドライブ部２１へ出力する。
【００４８】
フォーカスサーボドライブ部２０は、加算器１８から入力されたゲインに応じた電流を光ピックアップ６のアクチュエータに供給する。
【００４９】
トラッキングサーボドライブ部２１は、加算器１９から入力されたゲインに応じた電流を光ピックアップ６のアクチュエータに供給する。
【００５０】
音声映像再生処理部２２は、光ピックアップ６から入力された信号をアナログ／デジタル変換後にエラー訂正などを行った後復調や復号化を行ってＤ／Ａコンバータ２３へ出力する。
【００５１】
Ｄ／Ａコンバータ２３は、音声映像再生処理部２２から入力されたデジタル信号をアナログ信号に変換し出力端子２４から出力する。
【００５２】
次に、上述した構成の光ディスク再生装置１において、光ピックアップ６の対物レンズに伝達される振動の抑制動作を説明する。まず、光ディスク２５の再生動作中はフォーカスサーボとトラッキングサーボが動作している。つまりフォーカスエラー信号とトラッキングエラー信号に基づいてフォーカスとトラッキング方向について対物レンズが光ディスク２５の記録面に追従している。この状態で２軸加速度センサ７が振動を検出すると、フォーカスドライブＥＱ部８およびトラッキングドライブＥＱ部９に検出された振動の周波数と振幅が入力される。また、スピンドルモータ２の回転数に応じた直流電圧値もフォーカスドライブＥＱ部８およびトラッキングドライブＥＱ部９に入力されている。フォーカスドライブＥＱ部８およびトラッキングドライブＥＱ部９は、入力された振動の周波数帯域に応じて所定のゲインで駆動できるような信号を加算器１６および１７へ出力する。この際のＢＰＦ１３１、ＬＰＦ３２、ＢＰＦ２３３、ＨＰＦ３４の各部の出力する信号によるゲインの設定を図３のようにそれぞれ別のゲインとなるように設定されているとすると、例えば入力された振動周波数が５ｋＨｚであった場合はＨＰＦ３４から図３のゲインで駆動できるような信号が出力され他のＢＰＦ１３１、ＬＰＦ３２、ＢＰＦ２３３からは信号は出力されない。
【００５３】
一方、フォーカスサーボＥＱ部１１とトラッキングサーボＥＱ部１３から出力された信号はＬＰＦ１４および１５を通して加算器１６および１７に入力される。そして、加算器１６および１７において、フォーカスドライブＥＱ部８およびトラッキングドライブＥＱ部９の出力からＬＰＦ１４および１５を通したフォーカスサーボＥＱ部１１とトラッキングサーボＥＱ部１３から出力を減算する。すなわち、フォーカスサーボおよびトラッキングサーボで抑制する周波数帯域分を除去し、同じ周波数帯域に重複して振動抑制を行うことを防止する。そして、フォーカスサーボおよびトラッキングサーボで抑制する周波数帯域が除去された信号が加算器１８および１９でフォーカスサーボおよびトラッキングサーボの信号に加算される。したがって、フォーカスサーボおよびトラッキングサーボが動作しているときは、２軸加速度センサ７による振動の検出はフォーカスサーボおよびトラッキングサーボで抑制できない周波数帯域の振動を抑制するように動作する（図３でいうと４ｋＨｚ超の周波数帯域）。すなわち、フォーカスサーボおよびトラッキングサーボで抑制できない周波数帯域の振動について、従来は数十Ｈｚ以上（本実施例では４０Ｈｚ以上）の振動を吸収可能な防振用のダンパが抑制していたが、本実施例ではフォーカスサーボおよびトラッキングサーボと、２軸加速度センサ７による振動の検出とに基づいて全ての周波数帯域の振動を抑制できるため、ダンパの有無に関わらず音飛びなどをより少なくすることができる。
【００５４】
次に、フォーカスサーボやトラッキングサーボが動作していないときについて説明する。光ディスクを再生する前のサーボがオンになる前は、フォーカスサーボもトラッキングサーボも動作していないので、フォーカスサーボやトラッキングサーボで抑制する振動周波数帯域（本実施例では４ｋＨｚ以下）も２軸加速センサ７により検出して主にＢＰＦ２３３からの信号によって振動を抑制する。フォーカスサーボやトラッキングサーボが動作していないときは、フォーカスサーボＥＱ部１１およびトラッキングサーボＥＱ部１３は信号を出力しないため、ＬＰＦ１４および１５は動作せず、加算器１６および１７によってフォーカスサーボやトラッキングサーボと重複する振動周波数成分に対応する信号はそのままフォーカスサーボドライブ部２０およびトラッキングサーボドライブ部２１に入力される。したがって、フォーカスサーボやトラッキングサーボが動作していないときでも全ての周波数帯域の振動を２軸加速度センサ７による振動の検出に基づいて抑制できるため、ダンパの有無に関わらず再生前のサーボの引き込み動作やサーボゲインおよびバランスの設定などのセットアップをスムーズに行うことができる。
【００５５】
本実施例によれば、光ディスク再生装置１の振動を抑制するために、光ピックアップ６または光ピックアップ６と同等の振動特性を有する箇所に取り付けられた２軸加速度センサ７で光ピックアップ６に伝達される振動を検出し、フォーカスドライブＥＱ部８およびトラッキングドライブＥＱ部９で振動を減衰できるようなゲインで光ピックアップ６のアクチュエータを駆動する信号を出力する。フォーカスサーボやトラッキングサーボが動作している場合は、フォーカスサーボやトラッキングサーボで減衰できない振動周波数帯域の振動を減衰し、フォーカスサーボやトラッキングサーボが動作していない場合は、フォーカスサーボやトラッキングサーボが減衰する振動周波数帯域も減衰する。このようにすることによって、フォーカスサーボやトラッキングサーボで減衰できない振動も減衰できるので再生動作中の音飛びなどを少なくすることができ、サーボが動作していなくても機能するので、再生動作前のセットアップなどをスムーズに行うことができる。
【００５６】
なお、上述した実施例では、フォーカスドライブＥＱ部８やトラッキングドライブＥＱ部９の各フィルタの出力信号が駆動するゲインを別にしていたが同じにしてもよい。
【００５７】
また、フォーカスドライブＥＱ部８やトラッキングドライブＥＱ部９の各フィルタの出力信号によって光ピックアップ６のアクチュエータを駆動するゲインを適切に設定することによって防振用のダンパを削除することができる。
【００５８】
前述した実施例によれば、以下の対物レンズ駆動装置および対物レンズ駆動方法が得られる。
【００５９】
（付記１）光ディスク２５から情報を読み出すための光を発生する光源と、光源が発生した光を光ディスク２５に合焦させる対物レンズと、対物レンズを光ディスク２５に対して略鉛直方向および略径方向に移動させるアクチュエータと、アクチュエータを光ディスク２５から読み出した信号に基づいて所定のゲインでアクチュエータを駆動する信号を出力するフォーカスサーボＥＱ部１１およびトラッキングサーボＥＱ部１３と、光ディスク２５を回転させるスピンドルモータ２と、を備えた対物レンズ駆動装置において、
対物レンズに伝達される振動を検出する２軸加速度センサ７と、
２軸加速度センサ７が検出した振動と、スピンドルモータ２から得られる光ディスク２５の回転数と、に基づいて、所定のゲインでアクチュエータを駆動する信号を出力するフォーカスドライブＥＱ部８およびトラッキングドライブＥＱ部９と、
フォーカスドライブＥＱ部８およびトラッキングドライブＥＱ部９が出力する信号とフォーカスサーボＥＱ部１１およびトラッキングサーボＥＱ部１３が出力する信号とを加算する加算器１８および加算器１９と、
を備えたことを特徴とする対物レンズ駆動装置。
【００６０】
この対物レンズ駆動装置によれば、２軸加速度センサ７で振動を検出してフォーカスドライブＥＱ部８およびトラッキングドライブＥＱ部９で信号を生成出力しているので、サーボ機構を用いなくても振動を抑制することができ、さらに、光ディスクの回転による振動に対しても抑制することができる。また、追加部品も最小限に抑えることができる。
【００６１】
（付記２）光ディスク２５から情報を読み出すための光を発生する光源と、光源が発生した光を光ディスク２５に合焦させる対物レンズと、対物レンズを光ディスク２５に対して略鉛直方向および略径方向に移動させるアクチュエータと、アクチュエータを光ディスク２５から読み出した信号に基づいて所定のゲインでアクチュエータを駆動する信号を出力するフォーカスサーボＥＱ部１１およびトラッキングサーボＥＱ部１３と、光ディスク２５を回転させるスピンドルモータ２と、を備えた対物レンズ駆動装置において、
対物レンズに伝達される振動を検出する２軸加速度センサ７と、
対物レンズに伝達される振動を減衰するダンパと、
ダンパで抑制できる振動周波数帯域未満の周波数の振動を２軸加速度センサ７が検出した際に、所定のゲインでアクチュエータを駆動する信号を出力するフォーカスドライブＥＱ部８およびトラッキングドライブＥＱ部９と、
フォーカスドライブＥＱ部８およびトラッキングドライブＥＱ部９が出力する信号とフォーカスサーボＥＱ部１１およびトラッキングサーボＥＱ部１３が出力する信号とを加算する加算器１８および加算器１９と、
を備えたことを特徴とする対物レンズ駆動装置。
【００６２】
この対物レンズ駆動装置によれば、２軸加速度センサ７で振動を検出してフォーカスドライブＥＱ部８およびトラッキングドライブＥＱ部９で信号を生成出力しているので、サーボ機構を用いなくても振動を抑制することがさらに、ダンパで抑制できない振動も抑制することができる。また、かつ追加部品も最小限に抑えることができる。
【００６３】
（付記３）光ディスク２５から情報を読み出すための光を発生する光源と、光源が発生した光を光ディスク２５に合焦させる対物レンズと、対物レンズを光ディスク２５に対して略鉛直方向および略径方向に移動させるアクチュエータと、アクチュエータを光ディスク２５から読み出した信号に基づいて所定のゲインでアクチュエータを駆動する信号を出力するフォーカスサーボＥＱ部１１およびトラッキングサーボＥＱ部１３と、光ディスク２５を回転させるスピンドルモータ２と、を備えた対物レンズ駆動装置において、
対物レンズに伝達される振動を検出する２軸加速度センサ７と、
２軸加速度センサ７が検出した振動の周波数に応じて複数のゲインでアクチュエータを駆動する信号を出力するフォーカスドライブＥＱ部８およびトラッキングドライブＥＱ部９と、
フォーカスドライブＥＱ部８およびトラッキングドライブＥＱ部９が出力する信号とフォーカスサーボＥＱ部１１およびトラッキングサーボＥＱ部１３が出力する信号とを加算する加算器１８および加算器１９と、
を備えたことを特徴とする対物レンズ駆動装置。
【００６４】
この対物レンズ駆動装置によれば、２軸加速度センサ７で振動を検出してフォーカスドライブＥＱ部８およびトラッキングドライブＥＱ部９で信号を生成出力しているので、サーボ機構を用いなくても振動を抑制して振動の周波数に応じて適切なゲインで対物レンズを駆動することができ、さらに、追加部品も最小限に抑えることができる。
【００６５】
（付記４）光ディスク２５から情報を読み出すための光を発生する光源と、光源が発生した光を光ディスク２５に合焦させる対物レンズと、対物レンズを光ディスク２５に対して略鉛直方向および略径方向に移動させるアクチュエータと、アクチュエータを光ディスク２５から読み出した信号に基づいて所定のゲインでアクチュエータを駆動する信号を出力するフォーカスサーボＥＱ部１１およびトラッキングサーボＥＱ部１３と、光ディスク２５を回転させるスピンドルモータ２と、を備えた対物レンズ駆動装置において、
対物レンズに伝達される振動を検出する２軸加速度センサ７と、
２軸加速度センサ７が検出した振動に基づいて、所定のゲインでアクチュエータを駆動する信号を出力するフォーカスドライブＥＱ部８およびトラッキングドライブＥＱ部９と、
フォーカスドライブＥＱ部８およびトラッキングドライブＥＱ部９が出力する信号とフォーカスサーボＥＱ部１１およびトラッキングサーボＥＱ部１３が出力する信号とを加算する加算器１８および加算器１９と、
フォーカスドライブＥＱ部８およびトラッキングドライブＥＱ部９が出力する信号のうち、フォーカスドライブＥＱ部８およびトラッキングサーボＥＱ部１３で抑制できる振動周波数帯域の信号を抑制するＬＰＦ１４および１５と、
を備えたことを特徴とする対物レンズ駆動装置。
【００６６】
この対物レンズ駆動装置によれば、２軸加速度センサ７で振動を検出してフォーカスドライブＥＱ部８およびトラッキングドライブＥＱ部９で信号を生成出力しているので、サーボ機構を用いなくても振動を抑制することができ、さらに、サーボ機構を用いた場合でもサーボ機構と重複して振動を抑制することを防止できる。また、追加部品も最小限に抑えることができる。
【００６７】
（付記５）光ディスク２５から情報を読み出すための光を発生し、発生した光を対物レンズによって光ディスク２５に合焦させ、対物レンズを光ディスク２５に対して略鉛直方向および略径方向に移動させるように光ディスク２５から読み出した信号に基づいて所定のゲインで対物レンズを駆動し、光ディスク２５から読み出した情報を再生する対物レンズ駆動方法において、
対物レンズに伝達される振動を検出し、検出した振動と、光ディスク２５の回転数と、に基づいて、所定のゲインで対物レンズを駆動する信号を出力して、振動に基づく信号と光ディスク２５から読み出した信号に基づく信号とを加算して対物レンズを光ディスク２５に対して略鉛直方向および略径方向に起動することを特徴とする対物レンズ駆動方法。
【００６８】
この対物レンズ駆動方法によれば、振動を検出して検出した振動に基づいて信号を生成出力しているので、サーボ機構を用いなくても振動を抑制することができ、さらに、光ディスクの回転による振動に対しても抑制することができる。
【００６９】
（付記６）光ディスク２５から情報を読み出すための光を発生し、発生した光を対物レンズによって光ディスク２５に合焦させ、対物レンズを光ディスク２５に対して略鉛直方向および略径方向に移動させるように光ディスク２５から読み出した信号に基づいて所定のゲインで対物レンズを駆動し、光ディスク２５から読み出した情報を再生する対物レンズ駆動方法において、
対物レンズに伝達される振動を検出し、前記対物レンズに伝達される振動を減衰するダンパで抑制できる振動周波数帯域未満の周波数の振動を検出した際に、所定のゲインで対物レンズを駆動する信号を出力して、振動に基づく信号と光ディスク２５から読み出した信号に基づく信号とを加算して対物レンズを光ディスク２５に対して略鉛直方向および略径方向に起動することを特徴とする対物レンズ駆動方法。
【００７０】
この対物レンズ駆動方法によれば、振動を検出して検出した振動に基づいて信号を生成出力しているので、サーボ機構を用いなくても振動を抑制することができさらに、ダンパで抑制できない振動も抑制することができる。
【００７１】
（付記７）光ディスク２５から情報を読み出すための光を発生し、発生した光を対物レンズによって光ディスク２５に合焦させ、対物レンズを光ディスク２５に対して略鉛直方向および略径方向に移動させるように光ディスク２５から読み出した信号に基づいて所定のゲインで対物レンズを駆動し、光ディスク２５から読み出した情報を再生する対物レンズ駆動方法において、
対物レンズに伝達される振動を検出し、検出した振動の周波数に応じて複数のゲインで対物レンズを駆動する信号を出力して、振動に基づく信号と光ディスク２５から読み出した信号に基づく信号とを加算して対物レンズを光ディスク２５に対して略鉛直方向および略径方向に起動することを特徴とする対物レンズ駆動方法。
【００７２】
この対物レンズ駆動方法によれば、振動を検出して検出した振動に基づいて信号を生成出力しているので、サーボ機構を用いなくても振動を抑制して振動の周波数に応じて適切なゲインで対物レンズを駆動することができる。
【００７３】
（付記８）光ディスク２５から情報を読み出すための光を発生し、発生した光を対物レンズによって光ディスク２５に合焦させ、対物レンズを光ディスク２５に対して略鉛直方向および略径方向に移動させるように光ディスク２５から読み出した信号に基づいて所定のゲインで対物レンズを駆動し、光ディスク２５から読み出した情報を再生する対物レンズ駆動方法において、
対物レンズに伝達される振動を検出し、検出した振動に基づいて、所定のゲインで対物レンズを駆動する信号を出力するとともに、対物レンズの駆動によって抑制できる振動周波数帯域の信号は抑制して、対物レンズの駆動によって抑制できる振動周波数帯域の信号が抑制された振動に基づく信号と光ディスク２５から読み出した信号に基づく信号とを加算して対物レンズを光ディスク２５に対して略鉛直方向および略径方向に起動することを特徴とする対物レンズ駆動方法。
【００７４】
この対物レンズ駆動方法によれば、振動を検出して検出した振動に基づいて信号を生成出力しているので、サーボ機構を用いなくても振動を抑制することができ、さらに、サーボ機構を用いた場合でもサーボ機構と重複して振動を抑制することを防止できる。
【００７５】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００７６】
１      光ディスク再生装置
２      スピンドルモータ（回転手段）
６      光ピックアップ（光源、対物レンズ、駆動手段）
７      ２軸加速度センサ（振動検出手段）
８      フォーカスドライブＥＱ部（振動信号出力手段）
９      トラッキングドライブＥＱ部（振動信号出力手段）
１１    フォーカスサーボＥＱ部（サーボ制御手段）
１３    トラッキングサーボＥＱ部（サーボ制御手段）
１４    ＬＰＦ（抑制手段）
１５    ＬＰＦ（抑制手段）
１６    加算器（抑制手段）
１７    加算器（抑制手段）
１８    加算器（加算手段）
１９    加算器（加算手段）
２５    光ディスク
【手続補正３】
【補正対象書類名】図面
【補正対象項目名】全図
【補正方法】変更
【補正の内容】
【図１】
2008087703.tif 000006
【図２】
2008087703.tif 000007
【図３】
2008087703.tif 000008
【国際調査報告】
2008087703.tif 000009
2008087703.tif 000010
2008087703.tif 000011
2008087703.tif 000012